(57)【特許請求の範囲】
【請求項１】
点灯接続部と、
上記点灯接続部に接続した光源ユニットから上記点灯接続部を介して上記光源ユニットの種別を表わす種別情報を取得する種別取得部と、
上記種別取得部が取得した種別情報に基づいて上記光源ユニットに供給する電力を設定する電力設定部と、
上記電力設定部が設定した電力にしたがって上記光源ユニットに供給する電力を生成する電源回路と、
上記光源ユニットに供給する検査電力を、前記電源回路が生成する電力とは別に生成する検査電力生成回路と
を有し、
上記点灯接続部は、
上記光源ユニットに対して上記電源回路が生成した電力を供給する第一の点灯接続端子ａと、上記第一の点灯接続端子ａとは異なる第二の点灯接続端子ｂとを有し、上記光源ユニットに対して、上記第二の点灯接続端子ｂを介して上記検査電力生成回路が生成した検査電力を供給する
ことを特徴とする電源ユニット。
【請求項２】
上記点灯接続部は、さらに、
上記第一の点灯接続端子ａと上記第二の点灯接続端子ｂとは異なる第三の点灯接続端子ｃを有し、上記光源ユニットに対して、上記第一の点灯接続端子ａと上記第三の点灯接続端子ｃとを介して上記電源回路が生成した電力を供給し、上記光源ユニットに対して、第二の点灯接続端子ｂと第三の点灯接続端子ｃとを介して上記検査電力生成回路が生成した検査電力を供給することを特徴とする請求項１に記載の電源ユニット。
【請求項３】
上記点灯接続部は、さらに、
上記第一の点灯接続端子ａと上記第二の点灯接続端子ｂとは異なる第三の点灯接続端子ｃと、上記第一の点灯接続端子ａと上記第二の点灯接続端子ｂと上記第三の点灯接続端子ｃとは異なる第四の点灯接続端子ｄとを有し、上記光源ユニットに対して、上記第一の点灯接続端子ａと上記第三の点灯接続端子ｃとを介して上記電源回路が生成した電力を供給し、上記光源ユニットに対して、第二の点灯接続端子ｂと第四の点灯接続端子ｄとを介して上記検査電力生成回路が生成した検査電力を供給することを特徴とする請求項１に記載の電源ユニット。
【請求項４】
上記検査電力生成回路は、上記検査電力として所定の電圧値の検査電圧を生成することを特徴とする請求項１〜３のいずれかに記載の電源ユニット。
【請求項５】
電源ユニットに接続する光源接続部と、
上記光源接続部に接続した電源ユニットから上記光源接続部を介して供給された光源用電力により点灯する光源と、
上記光源接続部に接続した電源ユニットに対して上記光源接続部を介して光源ユニット自身の種別を表わす種別情報を出力する種別情報出力部とを有し、
上記光源接続部は、第一の光源接続端子ａと、前記第一の光源接続端子ａとは異なる第二の光源接続端子ｂとを有し、
上記種別情報出力部は、上記第二の光源接続端子ｂに電気接続され、上記第二の光源接続端子ｂを介して上記電源ユニットから供給される検査電力であって、上記光源用電力とは別に生成された検査電力により、電圧が発生するとともに電流が流れる種別情報回路を備え、
上記種別情報出力部は、上記種別情報回路に発生する電圧または上記種別情報回路を流れる電流を上記種別情報として出力し、
上記光源は、上記光源接続部に接続した電源ユニットから、上記第一の光源接続端子ａを介して供給された上記光源用電力により点灯することを特徴とする光源ユニット。
【請求項６】
上記光源接続部は、さらに、
上記第一の光源接続端子ａと上記第二の光源接続端子ｂとは異なる第三の光源接続端子ｃとを有し、
上記種別情報出力部は、上記第二の光源接続端子ｂと上記第三の光源接続端子ｃとの間に電気接続され、上記第二の光源接続端子ｂと上記第三の光源接続端子ｃとを介して上記電源ユニットから供給される上記検査電力により、電圧が発生するとともに電流が流れる種別情報回路を備え、
上記種別情報出力部は、上記種別情報回路に発生する電圧または上記種別情報回路を流れる電流を上記種別情報として出力し、
上記光源は、上記光源接続部に接続した電源ユニットから上記第一の光源接続端子ａと上記第三の光源接続端子ｃとを介して供給された上記光源用電力により点灯することを特徴とする請求項５に記載の光源ユニット。
【請求項７】
上記光源接続部は、さらに、
上記第一の光源接続端子ａと上記第二の光源接続端子ｂとは異なる第三の光源接続端子ｃと、上記第一の光源接続端子ａと上記第二の光源接続端子ｂと上記第三の光源接続端子ｃとは異なる第四の光源接続端子ｄとを有し、
上記種別情報出力部は、上記第二の光源接続端子ｂと上記第四の光源接続端子ｄとの間に電気接続され、上記第二の光源接続端子ｂと上記第四の光源接続端子ｄとを介して上記電源ユニットから供給される上記検査電力により、電圧が発生するとともに電流が流れる種別情報回路を備え、
上記種別情報出力部は、上記種別情報回路に発生する電圧または上記種別情報回路を流れる電流を上記種別情報として出力し、
上記光源は、上記光源接続部に接続した電源ユニットから上記第一の光源接続端子ａと上記第三の光源接続端子ｃとを介して供給された上記光源用電力により点灯することを特徴とする請求項５に記載の光源ユニット。
【請求項８】
電源ユニットに接続する光源接続部と、
上記光源接続部に接続した電源ユニットから上記光源接続部を介して供給された電力により点灯する光源と、
上記光源接続部に接続した電源ユニットに対して上記光源接続部を介して光源ユニット自身の種別を表わす種別情報を出力する種別情報出力部とを有し、
上記種別情報出力部は、上記光源を流れる電流を補正するための補正電圧または補正電流を生成する補正生成回路を有し、上記補正生成回路が生成した補正電圧または補正電流を種別情報として出力することを特徴とする光源ユニット。
【請求項９】
請求項１〜請求項４のいずれかに記載の電源ユニットと、上記光源ユニットの点灯接続部に接続される光源ユニットとを有することを特徴とする照明装置。
【請求項１０】
請求項１〜請求項４のいずれかに記載の電源ユニットと、上記光源ユニットの点灯接続部に接続される光源ユニットと、上記光源ユニットの光源が放射する光によって照らされる表示部とを有することを特徴とする表示装置。
【発明の詳細な説明】
【技術分野】
【０００１】
この発明は、光源ユニット及び光源ユニットに電力を供給する電源ユニットに関する。
【背景技術】
【０００２】
ＬＥＤなどの光源を有する照明器具や表示装置において、光源を含む光源回路の部分（光源ユニット）を、光源ユニットに電力を供給する点灯回路の部分（電源ユニット）から独立させることにより、光源の交換ができる。
電源ユニットは、例えば、光源ユニットに流れる電流が一定になるよう、光源ユニットに印加する電圧を調整することにより、光源ユニットに供給する電力を制御する。
【先行技術文献】
【特許文献】
【０００３】
【特許文献１】特開２００７−２３４４１５号公報
【発明の概要】
【発明が解決しようとする課題】
【０００４】
光源として用いるＬＥＤの主波長や相関色温度や発光効率、光源の数など、光源ユニットの種類が異なれば、光源ユニットに印加すべき電圧や光源ユニットに流すべき電流などの電気的特性は異なる。また、同じ種類の光源ユニットであっても、光源の電気的特性にバラツキがある場合には、光源ユニットの電気的特性が異なる場合がある。
光源ユニットの種類や電気的特性が異なる場合、光源ユニットに流れる電流の目標値など電源ユニットに設定された設定値を変える必要がある。
この発明は、例えば、上記のような課題を解決するためになされたものであり、電源ユニットに種類や電気的特性の異なる光源ユニットを接続した場合でも、常に適切な電力を光源ユニットに供給することを目的とする。
【課題を解決するための手段】
【０００５】
この発明にかかる電源ユニットは、光源ユニットを接続する点灯接続部と、上記点灯接続部に接続した光源ユニットから上記点灯接続部を介して上記光源ユニットの種別を表わす種別情報を取得する種別取得部と、上記種別取得部が取得した種別情報に基づいて上記光源ユニットに供給する電力を設定する電力設定部と、上記電力設定部が設定した電力にしたがって上記光源ユニットに供給する電力を生成する電源回路とを有することを特徴とする。
【発明の効果】
【０００６】
この発明にかかる電源ユニットによれば、種類や電気的特性の異なる光源ユニットを接続した場合でも、常に適切な電力を光源ユニットに供給することができる。
【図面の簡単な説明】
【０００７】
【図１】実施の形態１における照明器具８００の構造の一例を示す一部破断斜視図。
【図２】実施の形態１における照明器具８００の構成の一例を示す全体構成図。
【図３】実施の形態１における照明器具８００の回路構成の一例を示す電気回路図。
【図４】実施の形態２における照明器具８００の構成の一部を示すブロック構成図。
【図５】実施の形態３における照明器具８００の構成の一部を示すブロック構成図。
【図６】実施の形態３における照明器具８００の構成の別の例を示すブロック構成図。
【図７】実施の形態４における照明器具８００の回路構成の一例を示す電気回路図。
【図８】実施の形態５における照明器具８００の回路構成の一例を示す電気回路図。
【図９】実施の形態６における照明器具８００の回路構成の一例を示す電気回路図。
【図１０】実施の形態７における照明器具８００の回路構成の一例を示す電気回路図。
【図１１】実施の形態８における表示装置８０１の外観を示す全体斜視図。
【図１２】実施の形態８における表示装置８０１の内部構造を示す分解斜視図。
【発明を実施するための形態】
【０００８】
実施の形態１．
実施の形態１について、図１〜図３を用いて説明する。
【０００９】
図１は、この実施の形態における照明器具８００の構造の一例を示す一部破断斜視図である。
照明器具８００（照明装置）は、ケース８１０、電源ユニット１００、光源ユニット２００（光源モジュール）などを有する。
ケース８１０は、例えば、円筒状の筐体であり、電源ユニット１００などを内蔵する。
電源ユニット１００は、例えば商用電源などの交流電源やバッテリーなどの直流電源から電力の供給を受けて、光源ユニット２００に供給する電力を生成する。
光源ユニット２００（ＬＥＤ光源部）は、例えばＬＥＤなどの光源２２１を有する。光源２２１は、電源ユニット１００から供給された電力により点灯する。
電源ユニット１００（ＬＥＤ点灯ユニット部）は、接続部１１０（点灯接続部）を有する。光源ユニット２００は、接続部２１０（光源接続部）を有する。２つの接続部１１０，２１０は、互いに係合することにより、電源ユニット１００と光源ユニット２００とを物理的かつ電気的に接続する。
【００１０】
光源ユニット２００には、明るさや相関色温度などが異なる複数の種類のものがある。光源ユニット２００は、分離可能であり、着脱自在である。照明器具８００は、光源ユニット２００を他の種類のものに交換することにより、明るさや相関色温度を容易に変えることができる。また、例えば発光効率がよいＬＥＤが新たに開発された場合など、新たに開発されたＬＥＤを光源２２１とする光源ユニット２００に交換することにより、同じ明るさで消費電力の少ない照明器具８００にすることができる。
【００１１】
図２は、この実施の形態における照明器具８００の構成の一例を示す全体構成図である。
電源ユニット１００は、電源回路１３０、種別判定部１５０、点灯制御部１６０を有する。
光源ユニット２００は、光源回路２２０、種別情報出力部２５０（識別回路）を有する。
【００１２】
電源回路１３０は、光源回路２２０に供給する電力を生成する。電源回路１３０は、例えば、直流電源と直流直流変換回路（ＤＣ−ＤＣコンバータ）とからなり、直流電源が生成した直流電圧を直流直流変換回路が昇圧もしくは降圧することにより、光源回路２２０に供給する電力を生成する。
電源回路１３０が生成した電力は、接続部１１０，２１０を介して光源回路２２０に供給される。光源回路２２０は、接続部１１０，２１０を介して電源回路１３０から供給された電力を光源２２１に印加する回路である。
種別情報出力部２５０は、光源ユニット２００の種別（性能）を表わす情報（以下「種別情報」と呼ぶ。）を保持している。光源ユニット２００の種別には、例えば光源ユニット２００の標準入力電圧や標準入力電流などの電気的特性がある。種別情報出力部２５０が保持した種別情報（性能情報）は、接続部２１０，１１０を介して種別判定部１５０に提供される。種別判定部１５０（種別取得部、識別部）は、接続部２１０，１１０を介して提供された種別情報を取得する。
【００１３】
点灯制御部１６０は、種別判定部１５０が取得した種別情報に基づいて、電源回路１３０を制御する。例えば、点灯制御部１６０は、種別情報が表わす光源ユニット２００の種別から、光源回路２２０に供給すべき電力を求め、電源回路１３０を制御して、求めた電力が光源回路２２０に供給されるようにする。あるいは、点灯制御部１６０は、種別情報が表わす光源ユニット２００の種別から、光源回路２２０が正常に点灯しているときの入力電圧の値を求め、光源回路２２０の入力電圧が正常範囲から逸脱した場合に、電源回路１３０から光源回路２２０への電力の供給を停止する。
【００１４】
上述したように、光源ユニット２００には、明るさや相関色温度が異なる複数の種類のものがある。これは、例えば光源２２１の種類や数を変えることにより実現される。したがって、光源ユニット２００の種類によって、光源回路２２０に供給すべき電力や、光源回路２２０の入力電圧の正常範囲などの電気的特性が異なる。
電源ユニット１００は、光源ユニット２００が保持した種別情報を取得し、取得した種別情報に基づいて、現在接続されている光源ユニット２００に適合した電力を光源ユニット２００に供給する。
【００１５】
図３は、この実施の形態における照明器具８００の回路構成の一例を示す電気回路図である。
【００１６】
接続部１１０及び接続部２１０は、それぞれ３つの端子を有する。接続部１１０の端子と接続部２１０の端子とは、それぞれ１対１に対応し、対応する端子が互いに接続して、３つの接続点ａ，ｂ，ｃを形成する。接続部１１０及び接続部２１０は、例えば、差込刃、コネクタとハーネスなどである。接続部１１０の端子のうち、接続点ａを形成する端子を点灯側端子ａ、接続点ｂを形成する端子を点灯側端子ｂ、接続点ｃを形成する端子を点灯側端子ｃと呼ぶ。また、接続部２１０側の端子のうち、接続点ａを形成する端子を光源側端子ａ、接続点ｂを形成する端子を光源側端子ｂ、接続点ｃを形成する端子を光源側端子ｃと呼ぶ。
【００１７】
光源ユニット２００において、光源回路２２０は、例えば複数の光源２２１を直列に電気接続した回路である。光源回路２２０は、光源側端子ａと光源側端子ｃとの間に電気接続されている。
種別情報出力部２５０（識別回路）は、例えば抵抗Ｒ５２を有する。抵抗Ｒ５２（種別情報回路）は、光源側端子ａと光源側端子ｃとの間に電気接続されている。抵抗Ｒ５２は、光源ユニット２００の種類によって、抵抗値が異なる。すなわち、抵抗Ｒ５２の抵抗値が種別情報（性能情報）である。
抵抗Ｒ５２は、抵抗値が固定された固定抵抗であってもよいし、抵抗値が可変できる半固定抵抗や可変抵抗であってもよい。光源２２１の電気的特性のバラツキが大きい場合は、抵抗Ｒ５２の抵抗値が可変できる構成とすることが好ましい。そうすれば、例えば光源ユニット２００の製造工程において、光源ユニット２００の組み立て完了後、光源回路２２０の電気的特性を測定し、測定した電気的特性に基づいて、抵抗Ｒ５２の抵抗値を調整することができる。
【００１８】
電源ユニット１００は、上述した構成に加えて、帰還生成回路１４０（電流検出部）、電圧検出回路１７０、スイッチ回路１８０を有する。
【００１９】
種別判定部１５０は、例えば抵抗Ｒ５１を有する。抵抗Ｒ５１（分圧用抵抗）は、点灯側端子ｂと、電源ユニット１００のグランド配線（ＧＮＤ）との間に電気接続されている。これにより、種別情報出力部２５０の抵抗Ｒ５２と種別判定部１５０の抵抗Ｒ５１とが直列に電気接続される。接続点ａに電圧を印加すると、この電圧を２つの抵抗Ｒ５２，Ｒ５１により分圧した電圧が、抵抗Ｒ５１の両端に発生する。種別判定部１５０は、種別情報出力部２５０から取得した種別情報を表わす信号（ＬＥＤ識別信号）として、抵抗Ｒ５１の両端に発生した電圧を出力する。種別判定部１５０が出力する電圧は、抵抗Ｒ５２の抵抗値により変化するので、電源ユニット１００の側では、この電圧を種別情報として取り扱う。
【００２０】
電源回路１３０（検査電力生成回路）は、正側出力端子、負側出力端子、帰還入力端子を有する。負側出力端子は、電源ユニット１００のグランド配線に電気接続している。
電源回路１３０は、直流電圧を生成し、生成した電圧を正側出力端子と負側出力端子との間の電位差として出力する。電源回路１３０は、帰還入力端子と負側出力端子との間の電位差を帰還電圧として入力する。入力した帰還電圧が所定の電圧より高い場合、電源回路１３０は、生成する直流電圧の電圧値を下げる。逆に、入力した帰還電圧が所定の電圧より低い場合、電源回路１３０は、生成する直流電圧の電圧値を上げる。後述するように、帰還電圧は、光源回路２２０を流れる電流に比例する。電源回路１３０が生成する直流電圧が上がると、光源回路２２０を流れる電流は大きくなり、帰還電圧が高くなる。逆に、電源回路１３０が生成する直流電圧が下がると、光源回路２２０を流れる電流は小さくなり、帰還電圧が低くなる。このため、電源回路１３０は、帰還電圧が所定の電圧と一致するよう、生成する直流電圧の電圧値を調整する。
【００２１】
帰還生成回路１４０は、光源回路２２０を流れる電流を測定して、電源回路１３０に帰還する帰還電圧（フィードバック電圧）を生成する。帰還生成回路１４０は、測定した電流に比例する帰還電圧を生成する。帰還生成回路１４０は、点灯制御部１６０からの指示を表わす信号を入力し、入力した信号にしたがって比例定数を選択し、選択した比例定数を用いて帰還電圧を生成する。
帰還生成回路１４０は、例えば、３つの抵抗Ｒ４１，Ｒ４２，Ｒ４３（電圧発生用抵抗）、２つのスイッチング素子Ｑ４６，Ｑ４７（ＬＥＤ電流切替スイッチ）を有する。スイッチング素子Ｑ４６，Ｑ４７は、例えば電界効果型トランジスタ（以下「ＦＥＴ」と呼ぶ。）である。抵抗Ｒ４２とスイッチング素子Ｑ４６とは、直列に電気接続している。同様に、抵抗Ｒ４３とスイッチング素子Ｑ４７とは、直列に電気接続している。抵抗Ｒ４１と、抵抗Ｒ４２・スイッチング素子Ｑ４６の直列回路と、抵抗Ｒ４３・スイッチング素子Ｑ４７の直列回路とは、並列に電気接続している。この並列回路は、点灯側端子ｃと電源回路１３０の負側出力端子との間に電気接続している。これにより、この並列回路と光源回路２２０とは、直列に電気接続される。光源回路２２０を流れる電流と同じ電流が並列回路を流れ、流れた電流に比例する電圧が、並列回路の両端に発生する。帰還生成回路１４０は、並列回路の両端に発生した電圧を帰還電圧として出力する。すなわち、並列回路の等価抵抗値が比例定数である。
【００２２】
２つのスイッチング素子Ｑ４６，Ｑ４７は、それぞれ点灯制御部１６０からの信号にしたがってオンオフする。スイッチング素子Ｑ４６，Ｑ４７がともにオフの場合、並列回路の等価抵抗値は、抵抗Ｒ４１の抵抗値と等しい。スイッチング素子Ｑ４６がオン、スイッチング素子Ｑ４７がオフの場合、並列回路の等価抵抗値は、抵抗Ｒ４１の抵抗値の逆数と抵抗Ｒ４２の抵抗値の逆数との和の逆数に等しい。スイッチング素子Ｑ４６がオフ、スイッチング素子Ｑ４７がオンの場合、並列回路の等価抵抗値は、抵抗Ｒ４１の抵抗値の逆数と抵抗Ｒ４３の抵抗値の逆数との和の逆数に等しい。スイッチング素子Ｑ４６，Ｑ４７がともにオンの場合、並列回路の等価抵抗値は、抵抗Ｒ４１の抵抗値の逆数と抵抗Ｒ４２の抵抗値の逆数と抵抗Ｒ４３の抵抗値の逆数との総和の逆数に等しい。
【００２３】
例えば、抵抗Ｒ４１の抵抗値が１０Ω、抵抗Ｒ４２の抵抗値が５０Ω、抵抗Ｒ４３の抵抗値が２５Ωである場合、２つのスイッチング素子Ｑ４６，Ｑ４７をそれぞれオンオフすることにより、並列回路の等価抵抗値は、１０Ω、８．３３Ω、７．１４Ω、６．２５Ωの４つの値のいずれかになる。帰還電圧が例えば５Ｖになるよう、電源回路１３０が生成する直流電圧の電圧値を調整すると、光源回路２２０を流れる電流は、それぞれ５００ｍＡ、６００ｍＡ、７００ｍＡ、８００ｍＡになる。
【００２４】
電圧検出回路１７０は、電源回路１３０が生成した直流電圧を測定して、検出電圧を生成する。電圧検出回路１７０は、測定した直流電圧に比例する検出電圧を生成する。電圧検出回路１７０は、点灯制御部１６０からの指示を表わす信号を入力し、入力した信号にしたがって比例定数を選択し、選択した比例定数を用いて検出電圧を生成する。
電圧検出回路１７０は、例えば、３つの抵抗Ｒ７１，Ｒ７２，Ｒ７３と、スイッチング素子Ｑ７７とを有する。スイッチング素子Ｑ７７は、例えばＦＥＴである。抵抗Ｒ７３とスイッチング素子Ｑ７７とは、直列に電気接続している。抵抗Ｒ７２と、抵抗Ｒ７３・スイッチング素子Ｑ７７の直列回路とは、並列に電気接続している。この並列回路（ＬＥＤ光源部異常検出調整部）と、抵抗Ｒ７１とは、直列に電気接続している。この直列回路は、電源回路１３０の正側出力端子と負側出力端子との間に電気接続している。これにより、電源回路１３０が生成した直流電圧を、抵抗Ｒ７１と、抵抗Ｒ７２を含む並列回路とが分圧し、分圧した電圧が抵抗Ｒ７２を含む並列回路の両端に発生する。電圧検出回路１７０は、抵抗Ｒ７２を含む並列回路の両端に発生した電圧を検出電圧として出力する。すなわち、抵抗Ｒ７１と、抵抗Ｒ７２を含む並列回路との分圧比が比例定数である。
【００２５】
スイッチング素子Ｑ７７は、点灯制御部１６０からの信号にしたがってオンオフする。スイッチング素子Ｑ７７がオフの場合、抵抗Ｒ７２を含む並列回路の等価抵抗値は、抵抗Ｒ７２の抵抗値に等しい。スイッチング素子Ｑ７７はオンの場合、抵抗Ｒ７２を含む並列回路の等価抵抗値は、抵抗Ｒ７２の抵抗値の逆数と抵抗Ｒ７３の抵抗値の逆数との和の逆数に等しい。
例えば、抵抗Ｒ７１の抵抗値が１９ｋΩ、抵抗Ｒ７２の抵抗値が１ｋΩ、抵抗Ｒ７３の抵抗値が３．８ｋΩである場合、スイッチング素子Ｑ７７をオンオフすることにより、抵抗Ｒ７２を含む並列回路の等価抵抗値は、１ｋΩ、７９２Ωのいずれかの値になり、電圧検出回路１７０は、電源回路１３０が生成した直流電圧のそれぞれ２０分の１、２５分の１の電圧を検出電圧として生成する。
【００２６】
なお、スイッチング素子Ｑ４６，Ｑ４７，Ｑ７７は、ＦＥＴに限らず、他の電子的なスイッチであってもよいし、リレーなど機械的なスイッチであってもよい。スイッチング素子Ｑ４６，Ｑ４７，Ｑ７７のオンオフの切り替えは、光源ユニット２００を交換して光源ユニット２００の種別が変化したときに発生するので、スイッチング素子Ｑ４６，Ｑ４７，Ｑ７７は、同じ状態を維持するのに消費する電力が低いものが望ましく、応答速度は遅くてもよい。
【００２７】
スイッチ回路１８０は、点灯制御部１６０からの指示を表わす信号にしたがって、電源回路１３０が生成した直流電圧を光源ユニット２００に供給し、あるいは、供給を停止する。
スイッチ回路１８０は、例えば、４つの抵抗Ｒ８１，Ｒ８２，Ｒ８４，Ｒ８５、２つのスイッチング素子Ｑ８３，Ｑ８６を有する。スイッチング素子Ｑ８３は、例えばＮＰＮ型バイポーラトランジスタである。スイッチング素子Ｑ８６は、例えばＰＮＰ型バイポーラトランジスタである。抵抗Ｒ８１の一方の端子は、点灯制御部１６０の点灯信号出力端子に電気接続している。抵抗Ｒ８１のもう一方の端子は、スイッチング素子Ｑ８３のベース端子に電気接続している。抵抗Ｒ８２は、スイッチング素子Ｑ８３のベース端子とエミッタ端子との間に電気接続している。スイッチング素子Ｑ８３のエミッタ端子は、電源ユニット１００のグランド配線に電気接続している。抵抗Ｒ８４は、スイッチング素子Ｑ８３のコレクタ端子とスイッチング素子Ｑ８６のベース端子との間に電気接続している。抵抗Ｒ８５は、スイッチング素子Ｑ８６のベース端子とエミッタ端子との間に電気接続している。スイッチング素子Ｑ８６のエミッタ端子は、電源回路１３０の正側出力端子に電気接続している。スイッチング素子Ｑ８６のコレクタ端子は、点灯側端子ａに電気接続している。
スイッチング素子Ｑ８３のベース・エミッタ間には、点灯制御部１６０の点灯信号出力端子の電圧を、抵抗Ｒ８１と抵抗Ｒ８２とで分圧した電圧が印加される。この電圧が所定の電圧（例えば０．７Ｖ）より高ければ、スイッチング素子Ｑ８３がオンになり、コレクタ電流が流れる。スイッチング素子Ｑ８３のコレクタ電流は、抵抗Ｒ８４により制限される。スイッチング素子Ｑ８３のコレクタ電流の一部が抵抗Ｒ８５を流れることにより抵抗Ｒ８５の両端に電圧が発生し、この電圧がスイッチング素子Ｑ８６のベース・エミッタ間に印加される。この電圧が所定の電圧（例えば０．７Ｖ）より高ければ、スイッチング素子Ｑ８６がオンになり、電源回路１３０が生成した直流電圧が、接続点ａを介して、光源回路２２０に印加される。
点灯制御部１６０の点灯信号出力端子の電圧が低く、スイッチング素子Ｑ８３のベース・エミッタ間電圧が所定の電圧より低いと、スイッチング素子Ｑ８３がオフになり、コレクタ電流は流れない。このため、スイッチング素子Ｑ８６のベース・エミッタ間電圧も所定の電圧より低くなり、スイッチング素子Ｑ８６がオフになるので、電源回路１３０が生成した直流電圧は、光源回路２２０に印加されない。
【００２８】
点灯制御部１６０は、例えばマイクロコンピュータ（以下「マイコン」と呼ぶ。）を有する。
マイコンは、例えば、処理装置（以下「ＣＰＵ」と呼ぶ。）、記憶装置、入力装置、出力装置（図示せず）を有する。
ＣＰＵは、プログラムを実行することにより、データを処理し、ＣＰＵ自身を含むマイコン全体を制御する。
記憶装置は、ＣＰＵが実行するプログラムやＣＰＵが処理するデータを記憶する。記憶装置には、例えば不揮発性メモリ（以下「ＲＯＭ」と呼ぶ。）や揮発性メモリ（以下「ＲＡＭ」と呼ぶ。）などがある。
入力装置は、マイコンの外部からデジタル信号やアナログ信号を入力して、ＣＰＵが処理できる形式のデータに変換する。入力装置が変換したデータは、ＣＰＵが直接処理してもよいし、ＲＡＭなどが記憶してもよい。入力装置には、例えばアナログデジタル変換器（以下「ＡＤＣ」と呼ぶ。）などがある。ＡＤＣは、ＣＰＵから指示されたタイミングで、あるいは所定の周期で、アナログ信号を入力する端子の電位を測定し、測定した電位を量子化してデジタルデータに変換する。
出力装置は、ＣＰＵが処理したデータなどをデジタル信号やアナログ信号に変換して、マイコンの外部に出力する。出力装置が変換するデータは、ＣＰＵから直接受け取ったデータであってもよいし、ＲＡＭなどが記憶したデータであってもよい。出力装置は、例えばデジタルアナログ変換器（以下「ＤＡＣ」と呼ぶ。）などがある。ＤＡＣは、変換するデータが表わす数値に比例する電圧を生成し、アナログ信号を出力する端子から出力する。
以下に説明する機能ブロックは、ＲＯＭが記憶したプログラムをＣＰＵが実行して、データを処理し、マイコン全体を制御することにより実現される。
なお、以下に説明する機能ブロックを実現するための構成は、マイコンに限らず、アナログ回路・デジタル回路・集積回路など他の電子回路や電気回路であってもよいし、機械的構成など電気的構成以外の構成であってもよい。
【００２９】
点灯制御部１６０は、特性判定部１６１、電力設定部１６２、閾値切替部１６３、異常判定部１６４、点灯判定部１６５を有する。
【００３０】
特性判定部１６１は、ＣＰＵがＡＤＣを制御することにより、種別判定部１５０が取得した種別情報（ＬＥＤ識別信号）を入力する。特性判定部１６１は、入力した種別情報に基づいて、光源ユニット２００に供給すべき電力や、光源回路２２０の入力電圧の正常範囲など光源ユニット２００の電気的特性を判定する。例えば、種別情報と電気的特性との対応関係を表わすデータを集めたテーブルを、あらかじめＲＯＭが記憶しておく。ＲＯＭが記憶したテーブルをＣＰＵが検索することにより、特性判定部１６１は、種別判定部１５０が取得した種別情報に対応する電気的特性を表わすデータを取得する。
【００３１】
電力設定部１６２は、特性判定部１６１が判定した光源ユニット２００の電気的特性に基づいて、ＣＰＵがＤＡＣを制御することにより、スイッチング素子Ｑ４６，Ｑ４７のオンあるいはオフを指示する信号（ＬＥＤ電流切替信号）を生成する。例えば、光源回路２２０を流れる電流の定格値が５００ｍＡの場合、電力設定部１６２は、２つのスイッチング素子Ｑ４６，Ｑ４７をともにオフにする信号を生成する。光源回路２２０を流れる電流の定格値が６００ｍＡの場合、電力設定部１６２は、スイッチング素子Ｑ４６をオン、スイッチング素子Ｑ４７をオフにする信号を生成する。光源回路２２０を流れる電流の定格値が７００ｍＡの場合、電力設定部１６２は、スイッチング素子Ｑ４６をオフ、スイッチング素子Ｑ４７をオンにする信号を生成する。光源回路２２０を流れる電流の定格値が８００ｍＡの場合、電力設定部１６２は、２つのスイッチング素子Ｑ４６，Ｑ４７をともにオンにする信号を生成する。
【００３２】
閾値切替部１６３は、特性判定部１６１が判定した光源ユニット２００の電気的特性に基づいて、ＣＰＵがＤＡＣを制御することにより、スイッチング素子Ｑ７７のオンあるいはオフを指示する信号（光源異常検出閾値切替信号）を生成する。例えば、光源回路２２０の入力電圧の正常範囲の上限値が３５Ｖ、帰還生成回路１４０の両端電圧が５Ｖで合計４０Ｖの場合、閾値切替部１６３は、スイッチング素子Ｑ７７をオフにする信号を生成し、電圧検出回路１７０が生成する検出電圧を、電源回路１３０が生成した直流電圧の２０分の１にする。光源回路２２０の入力電圧の正常範囲の上限値が４５Ｖ、帰還生成回路１４０の両端電圧が５Ｖで合計５０Ｖの場合、閾値切替部１６３は、スイッチング素子Ｑ７７をオンにする信号を生成し、電圧検出回路１７０が生成する検出電圧を、電源回路１３０が生成した直流電圧の２５分の１にする。これにより、いずれの場合も、光源回路２２０の入力電圧が正常範囲を超えると、電圧検出回路１７０が生成する検出電圧が２Ｖを超えるので、光源回路２２０の異常を判定するための閾値電圧は、同じ２Ｖでよい。
【００３３】
異常判定部１６４（ＬＥＤ光源部異常検出部）は、ＣＰＵがＡＤＣを制御することにより、電圧検出回路１７０が生成した検出電圧（光源部異常検出信号）を入力する。異常判定部１６４は、ＣＰＵがデータを処理することにより、入力した検出電圧を所定の閾値電圧（例えば２Ｖ）と比較する。検出電圧が閾値電圧より高い場合、異常判定部１６４は、異常発生と判定する。
例えば、光源２２１が切断故障（オープン故障）した場合、光源回路２２０を流れる電流が０になるので、帰還生成回路１４０が生成する帰還電圧も０になる。電源回路１３０は、帰還電圧が所定の電圧より低いので、生成する直流電圧を高くする。しかし、光源回路２２０には電流が流れないので、帰還電圧は０のまま変わらない。このため、電源回路１３０は、生成する直流電圧を更に高くする。これにより、電源回路１３０が生成する電圧が高くなると、電圧検出回路１７０が生成する検出電圧が閾値電圧を超え、異常判定部１６４が異常発生と判定する。
【００３４】
また、異常判定部１６４は、更に、ＣＰＵがデータを処理することにより、入力した検出電圧を第二閾値電圧と比較する構成としてもよい。検出電圧が第二閾値電圧より低い場合も、異常判定部１６４は、異常発生と判定する。第二閾値電圧は、所定の電圧であってもよいし、種別判定部１５０が取得した種別情報に基づいて、閾値切替部１６３が算出する構成としてもよい。
例えば、光源２２１が短絡故障した場合、故障した光源２２１における電圧降下が０になるので、その分の電圧が他の光源２２１に印加され、光源回路２２０を流れる電流が増加し、帰還生成回路１４０が生成する帰還電圧も増加する。電源回路１３０は、帰還電圧が所定の電圧より高いので、生成する直流電圧を低くする。これにより、電源回路１３０が生成する電圧が低くなり、電圧検出回路１７０が生成する検出電圧が第二閾値電圧を下回り、異常判定部１６４が異常発生と判定する。
【００３５】
点灯判定部１６５は、ＣＰＵがＤＡＣを制御することにより、スイッチ回路１８０をオンあるいはオフする信号（光源部オンオフ信号）を生成する。異常判定部１６４が異常発生と判定した場合、点灯判定部１６５は、スイッチ回路１８０をオフする信号を生成する。これにより、異常な電圧が光源ユニット２００に印加されるのを防ぎ、電源ユニット１００の故障を防止する。
【００３６】
なお、閾値切替部１６３が生成した信号にしたがって電圧検出回路１７０の比例定数を変更するのではなく、電圧検出回路１７０は、所定の比例定数を用いて検出電圧を生成し、閾値切替部１６３が閾値電圧を算出し、電圧検出回路１７０が生成した検出電圧を、閾値切替部１６３が算出した閾値電圧と比較することにより、異常判定部１６４が異常を判定する構成としてもよい。しかし、マイコンを用いて異常判定部１６４を実現する構成の場合、以下の理由により、閾値切替部１６３が生成した信号にしたがって電圧検出回路１７０の比例定数を変更する構成のほうが好ましい。
ＡＤＣは、入力できる電圧範囲が定まっている。したがって、検出電圧がＡＤＣの入力可能電圧範囲より高い場合、検出電圧にかかわらずＡＤＣが変換するデータは最大値に固定される。したがって、異常判定部１６４は、閾値電圧がＡＤＣの入力可能電圧より高いと、異常発生を判定することができない。
また、ＡＤＣには、量子化誤差がある。量子化誤差は、ＡＤＣが出力するデジタルデータのビット数により定まり、入力する電圧によらないから、入力する電圧が高いほど信号雑音比（以下「ＳＮ比」と呼ぶ。）が良くなる。このため、検出電圧がＡＤＣの入力可能電圧範囲の上限に近いほうが、異常発生を正確に判定することができる。
比例定数を固定して閾値電圧を変化させる構成の場合、光源回路２２０の入力電圧の正常範囲の上限が低い場合に検出電圧がＡＤＣの入力可能電圧範囲の上限に近くなるよう設定すると、光源回路２２０の入力電圧の正常範囲の上限が低い場合に検出電圧がＡＤＣの入力可能電圧範囲の上限を超えて、異常発生を判定できなくなる。逆に、光源回路２２０の入力電圧の正常範囲の上限が高い場合に検出電圧がＡＤＣの入力可能電圧範囲の上限に近くなるよう設定すると、光源回路２２０の入力電圧の正常範囲の上限が低い場合に検出電圧がＡＤＣの入力可能電圧範囲の上限から離れ、正確な判定が困難になる。
これに対し、閾値電圧を固定して比例定数を変化させる構成の場合、光源回路２２０の入力電圧の正常範囲の上限にかかわらず、検出電圧がＡＤＣの入力可能電圧範囲の上限に近くなるよう設定することができ、異常発生を常に正確に判定することができる。
【００３７】
この実施の形態における電源ユニット１００は、接続部１１０（点灯接続部）を介して光源ユニット２００の種別を表わす種別情報を種別判定部１５０が取得し、取得した種別情報に基づいて光源ユニット２００に供給する電力を電力設定部１６２が設定し、設定した電力にしたがって光源ユニット２００に供給する電力を電源回路１３０が生成するので、電気的特性の異なる光源ユニット２００を接続した場合でも、常に適切な電力を光源ユニット２００に供給することができる。
【００３８】
また、点灯側端子ａ（第一の点灯接続端子）と点灯側端子ｂ（第二の点灯接続端子）との間の抵抗値を、種別判定部１５０が測定して種別情報とするので、光源ユニット２００の電気的特性に対応する抵抗値を有する抵抗を、光源側端子ａ（第一の光源接続端子）と光源側端子ｂ（第二の光源接続端子）との間に接続するだけで、光源ユニット２００の種別を電源ユニット１００に知らせることができ、光源ユニット２００の製造コストを抑えることができる。
【００３９】
また、光源ユニット２００に対して点灯側端子ａ（第一の点灯接続端子）と点灯側端子ｃ（第三の点灯接続端子）とを介して電源回路１３０が生成した電力を供給するので、端子の数が３つで済み、電源ユニット１００の製造コストを抑えることができる。また、光源回路２２０に印加する電圧が、抵抗Ｒ５２の抵抗値を測定するために印加する電圧を兼ねるので、電源ユニット１００が簡易な回路構成で実現できる。
【００４０】
この実施の形態における光源ユニット２００は、光源ユニット２００の種別を表わす種別情報を電源ユニット１００に提供するので、光源ユニット２００の種類や電気的特性を電源ユニット１００に知らせることができ、種類や電気的特性が異なる複数種類の光源ユニット２００がある場合でも、常に適切な電力の供給を電源ユニット１００から受けることができる。
【００４１】
また、光源側端子ａ（第一の光源接続端子）と光源側端子ｂ（第二の光源接続端子）との間に接続した抵抗Ｒ５２の抵抗値を種別情報とするので、光源ユニット２００の製造コストを抑えることができる。
【００４２】
また、光源側端子ａ（第一の光源接続端子）と光源側端子ｃ（第三の光源接続端子）とを介して電源ユニット１００から供給された電力により光源２２１が点灯するので、端子の数が３つで済み、光源ユニット２００の製造コストを抑えることができる。
【００４３】
なお、３つの接続点のほかのもうひとつの接続点ｄを設け、抵抗Ｒ５２の一端を光源側端子ａに接続するのではなく、接続点ｄを形成する光源側端子ｄに接続する構成としてもよい。電源ユニット１００側には、検査電圧生成回路を設ける。検査電圧生成回路は、所定の電圧値の検査電圧を生成し出力する。検査電圧生成回路の出力端子は、接続点ｄを形成する点灯側端子ｄに接続し、光源ユニット２００の種別情報出力部２５０に検査電圧を供給する。接続点ａの電位は光源回路２２０の電気的特性により変化するが、接続点ｄの電位は光源回路２２０の電気的特性に関わらず一定なので、種別情報を正しく取得することができる。また、異常発生時など、光源２２１を点灯していないときでも、種別情報を取得することができる。
【００４４】
この実施の形態における照明器具８００は、電源ユニット１００と、光源ユニット２００とを有する。照明器具８００は、照明装置の一例である。
【００４５】
なお、帰還生成回路１４０や電圧検出回路１７０において並列に接続する回路の数をもっと多くすれば、等価抵抗値をもっと多くの値にすることができるので、帰還生成回路１４０や電圧検出回路１７０の比例定数をもっと多くの段階で変化させることができる。また、帰還生成回路１４０や電圧検出回路１７０は、スイッチング素子を含む複数の回路を並列に接続する構成に限らず、スイッチング素子を含む複数の回路を直列に接続するなど他の構成により等価抵抗値を変化させるものであってもよい。また、等価抵抗値を段階的に変化させる構成ではなく、等価抵抗値を連続的に変化させる構成であってもよい。また、等価抵抗値を変化させるのではなく、他の構成により、比例定数を変化させる構成であってもよい。
【００４６】
また、種別情報出力部２５０は、抵抗Ｒ５２ではなく、例えばレギュレータなどの半導体素子やその他の電子部品、ジャンパー線やディップスイッチなどによって構成された回路であってもよい。
あるいは、種別情報出力部２５０は、サーミスタなど温度によって電気的特性が変化する素子を含む回路であってもよい。光源回路２２０の電気的特性が温度により変化する場合、光源回路２２０の電気的特性の変化に対応する形で、種別情報出力部２５０の電気的特性も変化するように構成しておけば、周辺温度による光源回路２２０の電気的特性の変化を補償することができる。
【００４７】
以上のように、照明器具８００（照明装置）は、種別情報（ＬＥＤ識別信号）による条件にあった最適の動作をすることができ、故障時の安全確保ができる。照明器具８００は、色ランクの違いなどによる個々の光源ユニット２００（ＬＥＤ光源部）の明るさのバラツキに対処することができる。照明器具８００は、光源２２１（ＬＥＤ）の個数の変更した場合でも電源ユニット１００（ＬＥＤ点灯ユニット部）の回路定数を再設定する必要がない。照明器具８００は、温度の違いなどによる個々の光源ユニット２００の明るさの違いの発生や順電圧の上昇による電力の増加などに対処することができる。照明器具８００は、個々の光源ユニット２００の光源２２１の順電圧が異なる場合でも保護レベルを再設定する必要がない。照明器具８００は、光源ユニット２００の故障モードの解析を可能にする。照明器具８００は、個々の光源ユニット２００の光源２２１の配光特性の違いなどによる明るさの違いなどに対処することができる。照明器具８００は、個々の光源ユニット２００の極端な色の違い（例えば温白色と昼光色の違い）がある場合でも、電源ユニット１００の回路定数の再設定をする必要がない。
【００４８】
なお、種別判定部１５０の抵抗Ｒ５１の両端に発生する電圧は、電源回路１３０が生成した直流電圧によっても変化する。そのため、異なる複数の種別の光源ユニット２００において、電源回路１３０が生成する直流電圧が所定の範囲内で変動した場合に、種別判定部１５０の抵抗Ｒ５１の両端電圧が変動する範囲が重ならないよう、種別情報出力部２５０の抵抗Ｒ５２の値を設定する。
例えば、光源回路２２０の電気的特性の違いにより、電源回路１３０が生成する直流電圧が８０Ｖ〜１２０Ｖの範囲で変動する可能性があり、抵抗Ｒ５１の値が１ｋΩ、ある種別の光源ユニット２００における抵抗Ｒ５２の値が３９ｋΩであるとすると、抵抗Ｒ５１の両端電圧は、２Ｖ〜３Ｖの範囲で変動する可能性がある。
仮に、それと異なる種別の光源ユニット２００における抵抗Ｒ５２の値が５６ｋΩであるとすると、抵抗Ｒ５１の両端電圧は、１．４Ｖ〜２．１１Ｖの範囲で変動する可能性がある。このため、抵抗Ｒ５１の両端電圧が２Ｖ〜２．１１Ｖの範囲である場合、光源ユニット２００がどちらの種別であるか判別できない。したがって、抵抗Ｒ５２の値は、このような値には設定しない。
抵抗Ｒ５２の値が６８ｋΩであれば、抵抗Ｒ５１の両端電圧は、１．１６Ｖ〜１．７４Ｖの範囲で変動する可能性がある。抵抗Ｒ５２の値をこのような値に設定した光源ユニットであれば、電源ユニット１００は、抵抗Ｒ５２の値が３９ｋΩである光源ユニット２００との間で、種別を判別することができる。
【００４９】
実施の形態２．
実施の形態２について、図４を用いて説明する。
なお、実施の形態１と共通する部分には、同一の符号を付し、説明を省略する。
【００５０】
図４は、この実施の形態における照明器具８００の構成の一部を示すブロック構成図である。
この図において、光源ユニット２００の種別取得に関係のない部分は、省略もしくは簡潔化して記載している。
【００５１】
種別判定部１５０（種別取得部）は、抵抗Ｒ５１に加え、種別電圧測定回路１５１、検査電圧測定回路１５２、演算部１５３を有する。
種別電圧測定回路１５１は、抵抗Ｒ５１の両端に発生した電圧の値（以下「種別電圧」と呼ぶ。）を測定する。種別電圧測定回路１５１は、例えばマイコンのＡＤＣである。なお、抵抗Ｒ５１と種別電圧測定回路１５１とにより、種別情報出力部２５０の抵抗Ｒ５２（種別情報回路）を流れる電流を測定していると見ることもできる。
検査電圧測定回路１５２は、電源回路１３０（検査電力生成回路）が生成した直流電圧の値（以下「検査電圧」と呼ぶ。）を測定する。検査電圧測定回路１５２は、例えば電圧検出回路１７０とマイコンのＡＤＣとによって実現される。
演算部１５３は、検査電圧測定回路１５２が測定した検査電圧と、種別電圧測定回路１５１が測定した種別電圧との比を算出する。
この実施の形態における電源ユニット１００は、演算部１５３が算出した比を種別情報として取り扱う。特性判定部１６１は、演算部１５３が算出した比に基づいて、光源ユニット２００の電気的特性を判定する。
【００５２】
実施の形態１で述べたように、抵抗Ｒ５１の両端に発生する電圧は、電源回路１３０が生成する直流電圧の値によっても変化する。この実施の形態では、抵抗Ｒ５１の両端電圧をそのまま種別情報とするのではなく、電源回路１３０が生成した直流電圧の値との比を種別情報とすることにより、電源回路１３０が生成する直流電圧の値の変化による抵抗Ｒ５１の両端電圧の変化を吸収するので、抵抗Ｒ５２の抵抗値の間隔を狭くすることができ、より多くの種別を判別することができる。
【００５３】
例えば、ある種別の光源ユニット２００において、種別情報出力部２５０の抵抗Ｒ５２の値が３９ｋΩであるとする。抵抗Ｒ５１の値が１ｋΩ、電源回路１３０が生成した直流電圧の値が８０Ｖの場合、抵抗Ｒ５１の両端電圧は２Ｖになるので、特性判定部１６１は、８０÷２＝４０という値を種別情報とする。また、電源回路１３０が生成した直流電圧の値が１２０Ｖであれば、抵抗Ｒ５１の両端電圧は３Ｖになるので、特性判定部１６１は、１２０÷３＝４０という値を種別情報とする。すなわち、電源回路１３０が生成した直流電圧の値に関わらず、特性判定部１６１が算出する種別情報はほぼ同じになる。
これに対し、異なる種別の光源ユニットにおいて、抵抗Ｒ５２の値が４７ｋΩだとすると、電源回路が生成した直流電圧の値が１２０Ｖの場合、抵抗Ｒ５１の両端電圧は２．５Ｖになる。特性判定部１６１は、１２０÷２．５＝４８という値を種別情報とする。したがって、抵抗Ｒ５２の値が３９ｋΩである光源ユニット２００との間で、種別を判別することができる。
【００５４】
この実施の形態における電源ユニット１００は、電源回路１３０（検査電力生成回路）が生成した電圧の値と、種別情報出力部２５０の抵抗Ｒ５２（種別情報回路）を流れる電流の値を測定し、測定した値の比を取るなどの演算をして種別情報を算出するので、検査電圧の変動にかからわず、異なる種別の光源ユニット２００を判別することができる。
【００５５】
実施の形態３．
実施の形態３について、図５〜図６を用いて説明する。
なお、実施の形態１または実施の形態２と共通する部分については、同一の符号を付し、説明を省略する。
【００５６】
図５は、この実施の形態における照明器具８００の構成の一部を示すブロック構成図である。
光源ユニット２００の種別情報出力部２５０の抵抗Ｒ５２（種別情報回路）は、光源側端子ｂと光源側端子ｃとの間に電気接続している。なお、抵抗Ｒ５２の一端は、光源側端子ｃではなく、光源側端子ａに電気接続していてもよいし、光源側端子ａとも光源側端子ｃとも異なる別の光源側端子に電気接続していてもよい。
電源ユニット１００は、検査電流生成回路１３５を有する。検査電流生成回路１３５（検査電力生成回路）は、所定の電流値の直流電流（以下「検査電流」と呼ぶ。）を生成する定電流源である。検査電流生成回路１３５は、電源側端子ｂと電源側端子ｃとの間に電気接続している。なお、検査電流生成回路１３５は、生成した検査電流が種別情報出力部２５０の抵抗Ｒ５２を流れるよう、抵抗Ｒ５２が接続している光源側端子に接続する電源側端子に電気接続する。
種別電圧測定回路１５１は、検査電流生成回路１３５が抵抗Ｒ５２に印加した電圧の値（検査電圧）を測定する。この実施の形態における電源ユニット１００は、種別電圧測定回路１５１が測定した検査電圧を種別情報として取り扱う。
【００５７】
このように、電源回路１３０とは別に検査電流生成回路１３５を設け、種別情報出力部２５０の抵抗Ｒ５２（種別情報回路）に供給する検査電流を生成することにより、光源回路２２０の電気的特性の違いなどにより、電源回路１３０が生成する直流電圧の値が変動したとしても、種別電圧測定回路１５１が測定する電圧の値は変わらず、光源ユニット２００の種別を正しく判別することができる。
【００５８】
図６は、この実施の形態における照明器具８００の構成の別の例を示すブロック構成図である。
電源ユニット１００は、検査電流生成回路１３５に代えて、検査電圧生成回路１３６を有する。検査電圧生成回路１３６（検査電力生成回路）は、所定の電圧値の直流電圧（検査電圧）を生成する定電圧源である。検査電圧生成回路１３６が生成した検査電圧は、種別情報出力部２５０の抵抗Ｒ５２（種別情報回路）に印加される。
また、電源ユニット１００は、種別電圧測定回路１５１に代えて、検査電流測定回路１５４を有する。検査電流測定回路１５４は、種別情報出力部２５０の抵抗Ｒ５２（種別情報回路）を流れる電流（検査電流）を測定する。この例における電源ユニット１００は、検査電流測定回路１５４が測定した検査電流を種別情報として取り扱う。
【００５９】
このように、定電圧源と電流測定との組み合わせでも、電源回路１３０が生成する直流電圧の値の変動にかかわらず、光源ユニット２００の種別を正しく判別することができる。
【００６０】
実施の形態４．
実施の形態４について、図７を用いて説明する。
なお、実施の形態１と共通する部分については、同一の符号を付し、説明を省略する。
【００６１】
図７は、この実施の形態における照明器具８００の回路構成の一例を示す電気回路図である。
【００６２】
接続部１１０及び接続部２１０は、実施の形態１で説明した３つの端子に加え、接続点ｄを形成する端子（それぞれ「点灯側端子ｄ」「光源側端子ｄ」と呼ぶ。）と、接続点ｅを形成する端子（それぞれ「点灯側端子ｅ」「光源側端子ｅ」と呼ぶ。）とを有する。
【００６３】
光源ユニット２００は、メモリＩＣ２５１（種別情報記憶部）を有する。メモリＩＣ２５１（種別情報出力部２５０、使用時間提供部）は、あらかじめ、光源ユニット２００の種別情報を表わすデータ（以下「種別データ」と呼ぶ。）と、光源ユニット２００の使用時間（通電時間）を表わすデータ（以下「使用時間データ」と呼ぶ。）とを記憶している。このうち少なくとも使用時間データは、書き換えが可能である。メモリＩＣ２５１は、動作に必要な電源電圧を印加するための一対の電源入力端子と、データを読み書きするためのデータ入出力端子とを備える。一対の電源入力端子のうち正電圧側の端子は、光源側端子ｄに電気接続している。一対の電源入力端子のうち負電圧側の端子は、光源側端子ｅに電気接続している。データ入出力端子は、光源側端子ｂに電気接続している。
【００６４】
電源ユニット１００は、実施の形態１で説明した構成に加え、更に、制御電源回路１９０を有する。
制御電源回路１９０は、メモリＩＣ２５１や点灯制御部１６０のマイコンなどの動作に必要な電源電圧（例えば３Ｖ）を生成する。制御電源回路１９０は、例えば電源回路１３０が生成した直流電圧をレギュレータなどにより降圧して電源電圧を生成する。制御電源回路１９０は、生成した電源電圧を出力する一対の出力端子を有する。正電圧側の出力端子は、点灯側端子ｄに電気接続している。負電圧側の出力端子は、電源ユニット１００内のグランド配線に電気接続している。
点灯側端子ｅは、グランド配線に電気接続している。これにより、制御電源回路１９０が生成した電源電圧は、接続点ｄ及び接続点ｅを介して、光源ユニット２００のメモリＩＣ２５１に印加される。
【００６５】
帰還生成回路１４０は、可変抵抗回路Ｖ４５を有する。電圧検出回路１７０は、可変抵抗回路Ｖ７５を有する。可変抵抗回路Ｖ４５，Ｖ７５は、点灯制御部１６０からの指示を表わす信号にしたがって抵抗値が変化する。
スイッチ回路１８０は、点灯制御部１６０からの指示を表わす信号にしたがって開閉するスイッチである。
可変抵抗回路Ｖ４５，Ｖ７５及びスイッチ回路１８０は、１つの部品によって構成されたものであってもよいし、実施の形態１で示した回路のように複数の部品によって構成されたものであってもよい。
【００６６】
点灯制御部１６０は、制御電源回路１９０が生成した電源電圧により動作する。点灯制御部１６０は、電源電圧を入力する一対の電源入力端子を有する。正電圧側の電源入力端子は、制御電源回路１９０の正電圧側の出力端子に電気接続しいている。負電圧側の電源入力端子は、グランド配線を介して制御電源回路１９０の負電圧側の出力端子に電気接続している。
点灯制御部１６０は、実施の形態１で説明した機能ブロックに加えて、使用時間読出部１５５、使用時間計測部１５６、使用時間書込部１５７を有する。また、この例において、種別判定部１５０は、点灯制御部１６０の一部である。
【００６７】
種別判定部１５０は、ＣＰＵが出力装置を制御することにより、メモリＩＣ２５１から種別データを読み出す信号を生成して出力する。この信号にしたがって、メモリＩＣ２５１は、あらかじめ記憶した種別データを表わす信号を生成して出力する。種別判定部１５０は、ＣＰＵが入力装置を制御することにより、メモリＩＣ２５１が出力した信号を入力し、種別データを取得する。
【００６８】
使用時間読出部１５５は、ＣＰＵが出力装置を制御することにより、メモリＩＣ２５１から使用時間データを読み出す信号を生成して出力する。この信号にしたがって、メモリＩＣ２５１は、あらかじめ記憶した使用時間データを表わす信号を生成して出力する。使用時間読出部１５５は、ＣＰＵが入力装置を制御することにより、メモリＩＣ２５１が出力した信号を入力し、使用時間データを取得する。
使用時間計測部１５６は、使用時間読出部１５５が取得した使用時間データに基づいて、ＣＰＵがデータを処理することにより、光源ユニット２００の使用時間を計測する。例えば、使用時間計測部１５６は、電源ユニット１００が光源ユニット２００に電力を供給している時間を測定し、１時間経過するたびに、使用時間データに１を加える。
使用時間書込部１５７は、ＣＰＵが出力装置を制御することにより、使用時間計測部１５６が計測した使用時間を表わすデータをメモリＩＣ２５１に書き込む信号を生成して出力する。この信号にしたがって、メモリＩＣ２５１は、あらかじめ記憶した使用時間データを書き換えて、新しい使用時間データを記憶する。
これにより、光源ユニット２００の使用時間を光源ユニット２００自身が記憶するので、使用中の光源ユニット２００を取り替えたり、他の電源ユニット１００に接続したり、元に戻したりした場合でも、光源ユニット２００の使用時間を正しく計測することができる。
【００６９】
特性判定部１６１は、種別判定部１５０が取得した種別データと、使用時間計測部１５６が計測した使用時間とに基づいて、ＣＰＵがデータを処理することにより、光源ユニット２００に供給すべき電力や、光源回路２２０の入力電圧の正常範囲など光源ユニット２００の電気的特性を判定する。例えば、経年劣化により光源２２１の明るさが低下する場合、光源回路２２０に供給する電力を増加させることにより、同じ明るさを保つことができる。したがって、同じ明るさを保つため光源回路２２０に供給すべき電力は、使用時間の増加に伴って増加する。
具体的には、例えば、種別情報と未使用時における電気的特性との対応関係を表わすデータを集めたテーブルに加えて、所定の輝度低下補償係数算出式を表わすデータをＲＯＭがあらかじめ記憶しておく。実施の形態１と同様、ＲＯＭが記憶したテーブルをＣＰＵが検索することにより、特性判定部１６１は、種別判定部１５０が取得した種別データが表わす種別情報に対応する（未使用時の）電気的特性を表わすデータを取得する。また、ＲＯＭが記憶したデータが表わす輝度低下補償係数算出式に、使用時間データが表わす使用時間を代入した結果をＣＰＵが計算することにより、特性判定部１６１は、輝度低下補償係数を算出する。取得した電気的特性が表わす電力と、算出した輝度低下補償係数とを乗じた積をＣＰＵが計算することにより、特性判定部１６１は、光源回路２２０に供給すべき電力を算出する。
同様に、光源回路２２０の入力電圧の正常範囲も使用時間によって変化する。例えば、光源回路２２０に供給する電力が変われば、光源回路２２０の電圧電流特性により、光源回路２２０の入力電圧の正常範囲も変化する。特性判定部１６１は、例えば使用時間や、使用時間から算出した光源回路２２０に供給すべき電力などに基づいて、光源回路２２０の入力電圧の正常範囲を算出する。
【００７０】
この実施の形態における光源ユニット２００は、接続部２１０に接続した電源ユニット１００に対して接続部２１０を介して光源ユニット２００の使用時間を表わす使用時間情報（使用時間データ）を提供する使用時間提供部（メモリＩＣ２５１）を有するので、使用時間により光源ユニット２００の電気的特性が変化する場合でも、常に適切な電力の供給を電源ユニット１００から受けることができる。
【００７１】
この実施の形態における電源ユニット１００は、接続部１１０に接続した光源ユニット２００から接続部１１０を介して光源ユニット２００の使用時間を表わす使用時間情報（使用時間データ）を使用時間取得部（使用時間読出部１５５）が取得し、種別判定部１５０が取得した種別情報（種別データ）と使用時間取得部が取得した使用時間情報とに基づいて光源ユニット２００に供給する電力を電力設定部１６２が設定するので、使用時間により光源ユニット２００の電気的特性が変化する場合でも、常に適切な電力を光源ユニット２００に供給することができる。
【００７２】
また、電源回路１３０が光源ユニット２００に電力を供給している時間を使用時間計測部１５６が計測し、使用時間取得部が取得した使用時間情報が表わす使用時間と、使用時間計測部１５６が計測した時間とを加算して光源ユニット２００の使用時間を算出し、接続部１１０に接続した光源ユニット２００に対して接続部１１０を介して使用時間計測部１５６が算出した使用時間を使用時間書込部１５７が書き込むので、光源ユニット２００の使用時間を正しく把握することができる。
【００７３】
なお、光源ユニット２００の（未使用時の）電気的特性をそのまま種別情報とし、メモリＩＣ２５１が記憶する構成としてもよい。例えば、メモリＩＣ２５１は、未使用時における光源ユニット２００に供給すべき電力や、入力電圧の正常範囲（最大電圧・最小電圧など）を表わすデータを、種別データとして記憶する。そうすれば、特性判定部１６１が種別情報を光源ユニット２００の電気的特性に変換する必要がないので、種別情報を電気的特性に変換するためテーブルなどをＲＯＭがあらかじめ記憶しておく必要がない。
【００７４】
また、光源ユニット２００は、メモリＩＣ２５１が記憶したデータを書き換えるため、光源側端子ｂ以外に、データを入力するデータ入力部を有する構成であってもよい。例えば、データ入力部としてリモコン受光回路を設け、リモコン受光回路が受光したリモコンからの信号に基づいて、メモリＩＣ２５１が記憶したデータを書き換えることができる構成としてもよい。
【００７５】
また、メモリＩＣ２５１や点灯制御部１６０は、電源ユニット１００内のグランド配線ではなく、光源側端子ｃの電位を基準電位として動作する構成としてもよい。制御電源回路１９０の出力端子のうち負電圧側の出力端子は、グランド配線ではなく、点灯側端子ｃに電気接続する。点灯制御部１６０の電源入力端子のうち負電圧側端子も同様に、点灯側端子ｃに電気接続する。また、メモリＩＣ２５１の電源入力端子のうち負電圧側の端子は、光源側端子ｃに電気接続する。これにより、接続点ｅを形成する点灯側端子ｅ及び光源側端子ｅが不要となるので、電源ユニット１００及び光源ユニット２００の製造コストを抑えることができる。
【００７６】
また、メモリＩＣ２５１が動作するために必要な電源電圧を生成する制御電源回路（以下「光源内電源回路」と呼ぶ。）を、光源ユニット２００の内部に設ける構成としてもよい。光源内電源回路は、例えば、光源側端子ａと光源側端子ｃとの間に印加された電圧から、メモリＩＣ２５１に印加する電源電圧を生成する。あるいは、メモリＩＣ２５１の電源電圧許容範囲によっては、メモリＩＣ２５１の正電圧側の電源入力端子を光源側端子ａに直接電気接続する構成としてもよい。これにより、接続点ｄを形成する光源側端子ｄ及び点灯側端子ｄが不要となるので、電源ユニット１００及び光源ユニット２００の製造コストを抑えることができる。
【００７７】
以上のように、照明器具８００は、光源２２１の経年劣化による明るさの低下などに対処することができる。
【００７８】
実施の形態５．
実施の形態５について、図８を用いて説明する。
なお、実施の形態１と共通する部分については、同一の符号を付し、説明を省略する。
【００７９】
図８は、この実施の形態における照明器具８００の回路構成の一例を示す電気回路図である。
【００８０】
接続部１１０は、点灯側端子ａ，ｃ，ｄの３つの端子を有する。これに対応して、接続部２１０は、光源側端子ａ，ｃ，ｄの３つの端子を有する。
【００８１】
光源ユニット２００において、種別情報出力部２５０（電流調整回路）は、抵抗Ｒ５３（補正生成回路）を有する。抵抗Ｒ５３は、光源側端子ｄと光源側端子ｃとの間に電気接続している。抵抗Ｒ５３は、光源回路２２０を流れる電流を補正するための補正電流を生成する。
【００８２】
制御電源回路１９０は、抵抗Ｒ５３に印加する所定の直流電圧（例えば３Ｖ）を生成する。制御電源回路１９０の正電圧側の出力端子は、点灯側端子ｄに電気接続している。制御電源回路１９０の負電圧側の出力端子は、電源ユニット１００内のグランド配線に電気接続している。
制御電源回路１９０が生成した直流電圧は、接続点ｄを介して抵抗Ｒ５３に印加される。抵抗Ｒ５３には、抵抗Ｒ５３の抵抗値に反比例する電流（補正電流）が流れる。
【００８３】
帰還生成回路１４０は、抵抗Ｒ４１を有する。実施の形態１と異なり、抵抗Ｒ４１に並列に接続した抵抗やスイッチング素子は存在しないので、帰還生成回路１４０が帰還電圧を生成する比例定数は、抵抗Ｒ４１の抵抗値によって定まる所定の値である。
帰還生成回路１４０には、光源回路２２０を流れる電流と、抵抗Ｒ５３を流れる補正電流とを合わせた電流が流れる。このため、帰還生成回路１４０が生成した帰還電圧が所定の電圧になるよう、電源回路１３０が生成する直流電圧を調整すると、光源回路２２０を流れる電流と補正電流との和が所定の電流値になる。すなわち、光源回路２２０を流れる電流は、所定の電流値から補正電流を差し引いた差の電流値になる。
【００８４】
ここで、制御電源回路１９０が生成する直流電圧は、所定の電圧値である。また、帰還電圧が所定の電圧値になるよう、電源回路１３０が生成する直流電圧を調整する。抵抗Ｒ５３の両端に印加される電圧は、制御電源回路１９０が生成した直流電圧から帰還電圧を差し引いた差の電圧値であるから、ほぼ一定の値と考えることができる。したがって、抵抗Ｒ５３の抵抗値を定めると、補正電流の電流値が定まる。
【００８５】
光源ユニット２００の種類によって、光源回路２２０に流す電流の電流値は異なる。このうち、光源回路２２０に流す電流が最も大きい光源ユニット２００を基準として、抵抗Ｒ４１の抵抗値（比例定数）を設定する。すなわち、光源回路２２０を流れる電流と補正電流との和が、光源回路２２０に流す電流が最も大きい光源ユニット２００において光源回路２２０に流す電流（以下「最大電流」と呼ぶ。）と等しい場合に、帰還生成回路１４０が生成する帰還電圧が、電源回路１３０が目標とする所定の電圧になるよう、抵抗Ｒ４１の抵抗値（比例定数）を設定する。
【００８６】
光源ユニット２００が、光源回路２２０に流す電流が最も大きい光源ユニット２００である場合、抵抗Ｒ５３を設けず、光源側端子ｄを開放する。あるいは、抵抗値が非常に大きい抵抗を抵抗Ｒ５３とする。したがって、補正電流は（ほとんど）流れない。電源回路１３０が生成する直流電圧を調整することにより、光源回路２２０には最大電流が流れる。
【００８７】
光源ユニット２００が、光源回路２２０に流す電流が最も大きい光源ユニット２００でない場合、抵抗Ｒ５３を設け、補正電流が最大電流から光源回路２２０に流す電流を差し引いた差の電流値になるよう、抵抗Ｒ５３の抵抗値を設定する。電源回路１３０が生成する直流電圧を調整することにより、光源回路２２０には所望の電流値（最大電流から補正電流を差し引いた差の電流値）の電流が流れる。
【００８８】
このように、光源ユニット２００は、光源回路２２０に流す電流の電流値に関する情報（種別情報）を、補正電流という形で、電源ユニット１００に通知する。電源ユニット１００では、補正電流として通知された種別情報を、帰還生成回路１４０が取得し、補正電流により補正された帰還電圧を生成する。これにより、光源ユニット２００の種類にかかわらず、光源回路２２０に所望の電流を流すことができる。
【００８９】
なお、抵抗Ｒ５３は、抵抗値が固定された固定抵抗であってもよいし、抵抗値が可変できる半固定抵抗や可変抵抗であってもよい。光源２２１の電気的特性のバラツキが大きい場合は、抵抗Ｒ５３の抵抗値が可変できる構成とすることが好ましい。そうすれば、例えば光源ユニット２００の製造工程において、光源ユニット２００の組み立て完了後、光源回路２２０の電気的特性を測定し、測定した電気的特性に基づいて、光源回路２２０に流す電流の電流値を定め、抵抗Ｒ５３の抵抗値を調整することができる。
あるいは、種別情報出力部２５０は、サーミスタなど温度によって電気的特性が変化する素子を含む回路であってもよい。光源回路２２０の電気的特性が温度により変化する場合、光源回路２２０の電気的特性の変化に対応する形で、種別情報出力部２５０の電気的特性も変化するように構成しておけば、周辺温度による光源回路２２０の電気的特性の変化を補償することができる。
【００９０】
この実施の形態における光源ユニット２００において、光源回路２２０を流れる電流を補正するための補正電流を補正生成回路（抵抗Ｒ５３）が生成し、種別情報出力部２５０が提供する種別情報とするので、電源ユニット１００では、補正電流を合わせた全体の電流が所定の電流になるよう電源回路１３０が生成する直流電圧を調整することにより、光源回路２２０を流れる電流を所望の電流値にすることができる。したがって、電源ユニット１００が簡易な構成で実現でき、製造コストを抑えることができる。
【００９１】
なお、制御電源回路１９０が生成する直流電圧は、電源回路１３０が目標とする所定の電圧値になるべく近い電圧値であるほうが、抵抗Ｒ５３の両端に印加される電圧が低くなるので、抵抗Ｒ５３における電力損失が抑えられ、望ましい。ただし、制御電源回路１９０が生成する直流電圧が、電源回路１３０が目標とする所定の電圧値に近すぎると、制御電源回路１９０が生成する直流電圧や電源回路１３０が目標とする所定の電圧値に誤差がある場合の影響が大きくなるので、あまり近すぎないほうが望ましい。したがって、制御電源回路１９０が生成する直流電圧の電圧値と、電源回路１３０が目標とする所定の電圧値との差は、例えば１Ｖ程度が最も望ましい。
【００９２】
補正電流により表わすことができる種別情報は、光源回路２２０に流す電流（光源ユニット２００に供給すべき電力）についての情報である。光源ユニット２００の入力電圧の正常範囲などの種別情報や、光源ユニット２００の使用時間についての情報など、それ以外の情報を電源ユニット１００に対して提供するため、この実施の形態の構成と、実施の形態１乃至実施の形態４いずれかの構成とを組み合わせた構成としてもよい。
【００９３】
実施の形態６．
実施の形態６について、図９を用いて説明する。
なお、実施の形態５と共通する部分については、同一の符号を付し、説明を省略する。
【００９４】
図９は、この実施の形態における照明器具８００の回路構成の一例を示す電気回路図である。
【００９５】
接続部１１０は、点灯側端子ａ，ｃ，ｅの３つの端子を有する。これに対応して、接続部２１０は、光源側端子ａ，ｃ，ｅの３つの端子を有する。
抵抗Ｒ５３は、光源側端子ｃと光源側端子ｅとの間に電気接続している。抵抗Ｒ５３は、光源回路２２０を流れる電流を補正するための補正電流を生成する。
点灯側端子ｅは、電源ユニット１００内のグランド配線に電気接続している。
【００９６】
抵抗Ｒ５３の両端には、帰還生成回路１４０が生成する帰還電圧に等しい電圧値の電圧が印加される。電源回路１３０は、帰還電圧が所定の電圧値になるよう、生成する直流電圧を調整するので、抵抗Ｒ５３の両端に印加される電圧は、ほぼ一定と考えることができる。したがって、抵抗Ｒ５３の抵抗値を定めると、補正電流の電流値が定まる。
【００９７】
帰還生成回路１４０には、光源回路２２０を流れる電流から補正電流を差し引いた差の電流値の電流が流れる。帰還生成回路１４０が生成した帰還電圧が所定の電圧値になるよう、電源回路１３０が生成する直流電圧を調整する結果、光源回路２２０には、所定の電流値に補正電流を加えた電流が流れる。
【００９８】
いろいろな種類の光源ユニット２００のうち、光源回路２２０に流す電流が最も小さい光源ユニット２００を基準として、抵抗Ｒ４１の抵抗値（比例定数）を設定する。すなわち、光源回路２２０を流れる電流から補正電流を差し引いた差が、光源回路２２０に流す電流が最も小さい光源ユニット２００において光源回路２２０に流す電流（以下「最小電流」と呼ぶ。）と等しい場合に、帰還生成回路１４０が生成する帰還電圧が、電源回路１３０が目標とする所定の電圧になるよう、抵抗Ｒ４１の抵抗値（比例定数）を設定する。
【００９９】
光源ユニット２００が、光源回路２２０に流す電流が最も小さい光源ユニット２００である場合、抵抗Ｒ５３を設けず、光源側端子ｅを開放する。あるいは、抵抗値が非常に大きい抵抗を抵抗Ｒ５３とする。したがって、補正電流は（ほとんど）流れない。電源回路１３０が生成する直流電圧を調整することにより、光源回路２２０には最小電流が流れる。
【０１００】
光源ユニット２００が、光源回路２２０に流す電流が最も小さい光源ユニット２００でない場合、抵抗Ｒ５３を設け、補正電流が光源回路２２０に流す電流から最小電流を差し引いた差の電流値になるよう、抵抗Ｒ５３の抵抗値を設定する。電源回路１３０が生成する直流電圧を調整することにより、光源回路２２０には所望の電流値（最小電流に補正電流を加えた和の電流値）の電流が流れる。
【０１０１】
このように、実施の形態５とは逆に、補正電流を差し引いた電流を帰還生成回路１４０に流すことにより、光源回路２２０に流れる電流を、補正電流の分だけ多くすることができる。
【０１０２】
この実施の形態における光源ユニット２００において、光源回路２２０を流れる電流を補正するための補正電流を補正生成回路（抵抗Ｒ５３）が生成し、種別情報出力部２５０が提供する種別情報とするので、電源ユニット１００では、補正電流を差し引いた電流が所定の電流になるよう電源回路１３０が生成する直流電圧を調整することにより、光源回路２２０を流れる電流を所望の電流値にすることができる。したがって、電源ユニット１００が簡易な構成で実現でき、製造コストを抑えることができる。
【０１０３】
なお、実施の形態５と同様、抵抗Ｒ５３は、抵抗値が固定された固定抵抗であってもよいし、抵抗値が可変できる半固定抵抗や可変抵抗であってもよいし、温度により抵抗値が変化するサーミスタなどの素子であってもよい。
【０１０４】
また、実施の形態５と同様、この実施の形態の構成と、実施の形態１〜実施の形態４の構成とを組み合わせた構成としてもよいし、実施の形態５の構成と組み合わせた構成としてもよい。実施の形態５の構成と組み合わせることにより、光源回路２２０を流れる電流を増やすこともできるし、減らすこともできる。
【０１０５】
実施の形態７．
実施の形態７について、図１０を用いて説明する。
なお、実施の形態５と共通する部分については、同一の符号を付し、説明を省略する。
【０１０６】
図１０は、この実施の形態における照明器具８００の回路構成の一例を示す電気回路図である。
【０１０７】
接続部１１０は、点灯側端子ａ，ｂ，ｃの３つの端子を有する。これに対応して、接続部２１０は、光源側端子ａ，ｂ，ｃの３つの端子を有する。
光源回路２２０は、光源側端子ａと光源側端子ｂとの間に電気接続している。抵抗Ｒ５３（補正生成回路）は、光源側端子ｂと光源側端子ｃとの間に電気接続している。抵抗Ｒ５３は、光源回路２２０を流れる電流を補正するための補正電圧を生成する。
点灯側端子ｂは、電源回路１３０の帰還入力端子に電気接続している。
【０１０８】
抵抗Ｒ５３には、光源回路２２０を流れる電流と同じ電流が流れる。抵抗Ｒ５３の両端には、抵抗Ｒ５３を流れる電流及び抵抗Ｒ５３の抵抗値に比例する電圧（補正電圧）が発生する。
電源回路１３０は、帰還生成回路１４０が生成した帰還電圧と、抵抗Ｒ５３の両端に発生した補正電圧とを合わせた合計電圧が、所定の電圧値になるよう、生成する直流電圧を調整する。したがって、光源回路２２０を流れる電流は、補正電圧がない場合と比べて小さくなる。
【０１０９】
いろいろな種類の光源ユニット２００のうち、光源回路２２０に流す電流が最も大きい光源ユニット２００を基準として、抵抗Ｒ４１の抵抗値（比例定数）を設定する。すなわち、光源回路２２０を流れる電流が最大電流と等しい場合に、帰還生成回路１４０が生成する帰還電圧が、電源回路１３０が目標とする所定の電圧になるよう、抵抗Ｒ４１の抵抗値（比例定数）を設定する。
【０１１０】
光源ユニット２００が、光源回路２２０に流す電流が最も大きい光源ユニット２００である場合、抵抗Ｒ５３を設けず、光源側端子ｂと光源側端子ｃとを短絡する。あるいは、抵抗値が非常に小さい抵抗を抵抗Ｒ５３とする。したがって、補正電圧は（ほとんど）０である。電源回路１３０が生成する直流電圧を調整することにより、光源回路２２０には最大電流が流れる。
【０１１１】
光源ユニット２００が、光源回路２２０に流す電流が最も大きい光源ユニット２００でない場合、抵抗Ｒ５３を設け、光源回路２２０に所望の電流が流れたときに抵抗Ｒ５３の両端に発生する補正電圧と、帰還生成回路１４０が生成する帰還電圧との和が、電源回路１３０が目標とする所定の電圧値になるよい、抵抗Ｒ５３の抵抗値を設定する。電源回路１３０が生成する直流電圧を調整することにより、光源回路２２０には所望の電流値の電流が流れる。
【０１１２】
このように、光源ユニット２００は、光源回路２２０に流す電流の電流値に関する情報（種別情報）を、補正電圧という形で、電源ユニット１００に通知する。電源ユニット１００では、補正電圧として通知された種別情報を、電源回路１３０が取得し、補正電圧により補正された直流電圧を生成する。これにより、光源ユニット２００の種類にかかわらず、光源回路２２０に所望の電流を流すことができる。
【０１１３】
なお、帰還生成回路１４０はなくてもよい。その場合、電源回路１３０は、補正生成回路（抵抗Ｒ５３）の両端に発生する電圧が目標とする所定の電圧値になるよう、生成する直流電圧を調整する。
【０１１４】
また、種別情報出力部２５０は、サーミスタなど温度によって電気的特性が変化する素子を含む回路であってもよい。光源回路２２０の電気的特性が温度により変化する場合、光源回路２２０の電気的特性の変化に対応する形で、種別情報出力部２５０の電気的特性も変化するように構成しておけば、周辺温度による光源回路２２０の電気的特性の変化を補償することができる。
【０１１５】
このように、補正電流により光源回路２２０を流れる電流を補正する代わりに、補正電圧により光源回路２２０に流れる電流を補正することにより、光源回路２２０に流れる電流を少なくすることができる。
【０１１６】
この実施の形態における光源ユニット２００において、光源回路２２０を流れる電流を補正するための補正電圧を補正生成回路（抵抗Ｒ５３）が生成し、種別情報出力部２５０が提供する種別情報とするので、電源ユニット１００では、帰還電圧と補正電圧とを合わせた合計の電圧が所定の電圧値になるよう電源回路１３０が生成する直流電圧を調整することにより、光源回路２２０を流れる電流を所望の電流値にすることができる。したがって、電源ユニット１００が簡易な構成で実現でき、製造コストを抑えることができる。
【０１１７】
なお、実施の形態５や実施の形態６と同様、抵抗Ｒ５３は、抵抗値が固定された固定抵抗であってもよいし、抵抗値が可変できる半固定抵抗や可変抵抗であってもよいし、温度により抵抗値が変化するサーミスタなどの素子であってもよい。
【０１１８】
また、この実施の形態の構成と、実施の形態１乃至実施の形態６のうち少なくともいずれかの構成とを組み合わせた構成としてもよい。
実施の形態８．
実施の形態８について、図１１〜図１２を用いて説明する。
なお、実施の形態１乃至実施の形態７と共通する部分については、同一の符号を付し、説明を省略する。
【０１１９】
図１１は、この実施の形態における表示装置８０１の外観を示す全体斜視図である。
表示装置８０１は、表示パネル８２０を有する。表示装置８０１は誘導灯装置であり、表示パネル８２０には、避難誘導の図柄が印刷などにより表示されている。なお、表示装置８０１は誘導灯装置に限らず、表示パネル８２０には、他の図柄が表示されたものであってもよい。
【０１２０】
図１２は、この実施の形態における表示装置８０１の内部構造を示す分解斜視図である。
表示装置８０１は、表示パネル８２０に加えて、ケース８１０、電源ユニット１００、光源ユニット２００、光源ユニットホルダー８３０などを有する。
ケース８１０は、電源ユニット１００や光源ユニット２００を覆うケースである。
電源ユニット１００は、実施の形態１〜実施の形態７で説明した電源ユニットであり、接続部１１０を有する。
光源ユニット２００は、実施の形態１〜実施の形態７で説明した光源ユニットであり、接続部２１０を有する。
２つの接続部１１０，２１０は、互いに接続する。光源ユニット２００は、接続した接続部１１０，２１０を介して、電源ユニット１００から電力の供給を受け、内蔵した光源２２１を点灯する。
表示パネル８２０は、光源ユニット２００の光源２２１が放射した光によって、表示された図柄を光らせる。
光源ユニットホルダー８３０は、ケース８１０や表示パネル８２０と係合することにより、光源ユニット２００や表示パネル８２０をケース８１０に固定する。
【０１２１】
このように、実施の形態１〜実施の形態７で説明した電源ユニット１００及び光源ユニットは、照明器具８００に限らず、表示装置８０１など電気的光源を有する他の装置にも適用できる。
これにより、実施の形態１〜実施の形態７で説明した効果と同様の効果を得ることができる。
【符号の説明】
【０１２２】
１００  電源ユニット、１１０，２１０  接続部、１３０  電源回路、１３５  検査電流生成回路、１３６  検査電圧生成回路、１４０  帰還生成回路、１５０  種別判定部、１５１  種別電圧測定回路、１５２  検査電圧測定回路、１５３  演算部、１５４  検査電流測定回路、１５５  使用時間読出部、１５６  使用時間計測部、１５７  使用時間書込部、１６０  点灯制御部、１６１  特性判定部、１６２  電力設定部、１６３  閾値切替部、１６４  異常判定部、１６５  点灯判定部、１７０  電圧検出回路、１８０  スイッチ回路、１９０  制御電源回路、２００  光源ユニット、２２０  光源回路、２２１  光源、２５０  種別情報出力部、２５１  メモリＩＣ、８００  照明器具、８１０  ケース、８２０  表示パネル、８３０  光源ユニットホルダー、Ｑ４６，Ｑ４７，Ｑ７７，Ｑ８３，Ｑ８６  スイッチング素子、Ｒ４１，Ｒ４２，Ｒ４３，Ｒ５１，Ｒ５２，Ｒ５３，Ｒ７１，Ｒ７２，Ｒ７３，Ｒ８１，Ｒ８２，Ｒ８４，Ｒ８５  抵抗、Ｖ４５，Ｖ７５  可変抵抗回路。
【図１】
0005404380.tif 000002
【図２】
0005404380.tif 000003
【図３】
0005404380.tif 000004
【図４】
0005404380.tif 000005
【図５】
0005404380.tif 000006
【図６】
0005404380.tif 000007
【図７】
0005404380.tif 000008
【図８】
0005404380.tif 000009
【図９】
0005404380.tif 000010
【図１０】
0005404380.tif 000011
【図１１】
0005404380.tif 000012
【図１２】
0005404380.tif 000013